(57)【要約】【課題】Ｕターンパス給紙搬送路を有し、記録面がカセットのラスト紙用摩擦パッドに接触する給紙装置において、記録表面層の軟らかい光沢紙や半光沢紙に対して、ラスト紙用摩擦パッドの摺擦により生じる、記録紙表面の光沢差を低減し、画像品位の低下を防止する。【解決手段】給紙ローラの軸端部方向に至るにしたがって、給紙ローラから暫時離間する面を摩擦パッドに構成し、暫時接触圧を低減することで記録紙表面の摺擦領域と非摺擦領域の境界における光沢差を低減する。【選択図】        図３
2006168840.tif 000002
【特許請求の範囲】
【請求項１】
記録紙を積載して収納する給紙カセットと、
該給紙カセット内に積載された積載紙に当接離間可能であって当接時に回転することにより積載紙を１枚ずつ給送する給紙ローラと、
該給紙カセットの記録紙載置面側で前記給紙ローラに対向する箇所に配置され、前記給紙ローラの軸方向に平行な面と該給紙ローラの幅方向の端部に対向する方向側に至るに従って前期給紙ローラから離間する方向に暫時変位する面とを構成し記録紙に対する摩擦を発生させる手段と、
を有することを特徴とする給紙装置。
【請求項２】
前記摩擦パッドは略一律な厚さを有する可撓性の部材からなり、前記給紙カセットに接着可能であって、前記給紙ローラの軸方向に平行な面と該給紙ローラの幅方向の端部に対向する方向側に至るに従って前記給紙ローラから離間する方向に暫時変位する面とを構成しうるように、前記摩擦パッドを接着する箇所に形状的変化面を構成した給紙カセットを有することを特徴とする請求項１記載の給紙装置。
【発明の詳細な説明】
【技術分野】
【０００１】
本発明は、プリンタ、複写機あるいはファクシミリ等の給紙装置に関する。
【背景技術】
【０００２】
プリンタ、複写機あるいはファクシミリ等の画像記録装置には給紙カセット等に多数枚積載された記録紙の最上位紙に対して給紙ローラを当接回転させて１枚ずつ給紙搬送する給紙装置が使用されている。
【０００３】
通常、給紙カセットは樹脂等の材料で構成されるため、積載された最下位紙と給紙カセットとの摩擦力は低く、給紙カセットの積載面に適切な摩擦手段がないと、下位紙同士の摩擦力が最下位紙と給紙カセット表面との摩擦力より大きくなることがあり、画像記録進行と共に記録紙が数枚の残存量になった場合などには、最上位紙に対する給紙動作時に下位に残存する記録紙が多数枚同時に給送される場合がある。
【０００４】
このため、給紙カセット積載面で給紙ローラに対抗する箇所に合成皮革材やコルク材などからなる摩擦パッド等の摩擦発生手段を設けている。
【０００５】
画像記録方式がインクジェット方式などにおいては、給紙後に記録紙をいわゆるＵターンパスの搬送路に導き、記録面を下方から上方へ反転させてから画像を記録する装置がある。この場合、記録紙を給紙カセット内に積載するときは、記録印字面を下方にして積載することになる。
【０００６】
上記インクジェット方式の記録装置で使用される記録紙の中には光沢紙や絹目調と称される反光沢紙があり、その記録印字表面は軟らかく、上記のような摩擦パッドを安易に使用すると、給紙動作時の当接摺動時に傷つき易いものが多く、積載最下紙に対して著しく画像品位を低下させる原因になっていた。特に、摺擦による光沢変化をもたらし、摩擦パッド等が摺擦した領域とそうでない領域との境界部での記録紙の光沢差が使用者の目に顕著に認識されていた（例えば、特許文献１参照。）。
【０００７】
図４は従来からある給紙装置の構成断面図である。
【０００８】
給紙ローラ１０２は揺動中心１０４を中心として揺動する揺動給紙アーム１０３に回転駆動できるように支持される。
【０００９】
記録紙１００はカセット１０５内に積載される。給紙された記録紙１００は斜面１０１を乗り上げ、搬送方向を矢印Ａ方向、Ｂ方向に変換された後、下流側に配置された画像記録部位Ｐへ搬送される。給紙ローラ１０２が最上位紙１００ａに直接接触することで発生する搬送力は、記録紙１００ａの先端と斜面１０１との摩擦力及び最上位紙１００ａが斜面１０１をさかのぼる時の屈曲反力に対して十分上回る給紙搬送力が発生するように設計される。一方、下位の記録紙１００は、給紙ローラ１０２の下方部で記録紙１００間同士の摩擦力が作用し、最上位紙１００ａと同様の方向に搬送摩擦力を受けるが、これは上記最上位紙１００ａが給紙ローラ１０２から受ける搬送力よりもはるかに小さいので、該下位の記録紙１００の先端が斜面１０１で受ける摩擦力の方が上記搬送力より上回って搬送抵抗力を受けることとなり、下位紙が最上位紙１００ａにつられて重送することが防止される。上記構成により、積載された記録紙１００の１枚のみが装置本体下流側へ給紙される。
【００１０】
装置の搬送下流側にはインクジェット方式による画像記録部位Ｐが構成され、記録紙１００に画像を形成することとなる。インクジェットヘッド１１０は記録紙１００の搬送方向に所定の幅のインク吐出ノズル列を有し、ラインフィードローラ１１１とピンチローラ１１２に把持されて記録紙１００を間欠的に所定量の搬送を行うごとにインクジェットヘッド１１０を記録紙搬送方向とは直角な方向に走査し、インク滴を吐出して画像を形成する。
【００１１】
カセット１０５の記録紙１００の載置面で給紙ローラ１０２が下降して対向する個所には摩擦パッド１０６が配置され、最下位紙１００ｂと摩擦接触する。
【００１２】
カセット１０５内に数枚の記録紙１００が残存している場合に、その最上位紙１００ａが給紙ローラ１０２で給紙されるとき、最下位紙１００ｂは摩擦パッド１０６との摩擦で給送方向にずれることが抑制され、中間位置紙に対しても記録紙間どうしの摩擦が働き、残存紙が複数枚同時に給送されることを防止する。
【００１３】
図５は上記従来例で給紙ローラの軸を通る垂直な面で断面をとった場合の給紙ローラと摩擦パッドの位置関係を表す断面図である。
【００１４】
積載最下紙１００ｂが給紙ローラ１０２ａ、１０２ｂと摩擦パッド１０６ａ，１０６ｂに挟まれ、均等に圧接力を作用させているが、摩擦パッド１０６ａ，１０６ｂのエッジ部分に相当する箇所１０７ａ，１０７ｂ，１０７ｃ，１０７ｄは記録紙１００ｂに対して押圧力も集中し、かつ記録紙１００ｂの摺擦による光沢変化も摺擦しない領域と著しく目立つ箇所となる。
【００１５】
また、特に給紙ローラ幅Ｒ１、Ｒ２に対して摩擦パッドの幅Ｐ１，Ｐ２が小さく、摩擦パッドのエッジ部分パッド１０６ａ，１０６ｂのエッジ部分に相当する箇所１０７ａ，１０７ｂ，１０７ｃ，１０７ｄが記録紙の表面に接触する寸法関係にある場合は、摩擦パッドのエッジ当接部において給紙押圧力が集中し、記録紙に対する摺擦跡が顕著に発生しやすい。
【特許文献１】特開２０００−１５９３６８号公報
【発明の開示】
【発明が解決しようとする課題】
【００１６】
本発明は、前述のように画像記録方式がインクジェット方式などにおいて、使用される光沢紙や反光沢紙などに対して上記摩擦パッドによる摺擦領域部と非摺擦領域部との光沢差が顕著に認識されることで、画像品位を著しく低下させていたことを解決することを目的とする。
【課題を解決するための手段】
【００１７】
本発明は、
記録紙を積載して収納する給紙カセットと、
該給紙カセット内に積載された積載紙に当接離間可能であって当接時に回転することにより積載紙を１枚ずつ給送する給紙ローラと、
該給紙カセットの記録紙載置面側で前記給紙ローラに対向する箇所に配置され、前記給紙ローラの軸方向に平行な面と該給紙ローラの幅方向の端部に対向する方向側に至るに従って前記給紙ローラから離間する方向に暫時変位する面とを構成し記録紙に対する摩擦を発生させる手段と、
から構成され、前記目的を達成させるものである。
【発明の効果】
【００１８】
上記発明によって、給画像記録方式がインクジェット方式などにおいて、使用される光沢紙や反光沢紙などに対して上記摩擦パッドの前記摺擦部と非摺擦部との光沢差を目立たないように低減して、画像品位を著しく低下させないことができる。
【発明を実施するための最良の形態】
【００１９】
以下本発明を実施するための最良の形態を、実施例により詳しく説明する。
【実施例】
【００２０】
図３は本発明の給紙装置の実施例の全体構成を示す斜視図である。
【００２１】
揺動給紙アーム１１は幅方向両端が回転可能に支持された揺動支軸１２を中心に揺動可能であり、自重にて図中反時計方向に下降可能に装置本体に保持される。
【００２２】
揺動給紙アーム１１は内部空間を有するフレーム構造であって、その内部空間には、揺動支軸１２と平行な姿勢位置で、その両端を揺動給紙アーム１１に回転可能に支持される給紙ギア軸１４が配置される。給紙ギア軸１４には軸方向に伝達ギア１５が回転自在に支持される。
【００２３】
給紙ギア１３は給紙ローラ軸１６に支持され、伝達ギア１５と噛み合ってその回転駆動力を受ける。
【００２４】
ワンウェイクラッチ１８は給紙ローラ軸１６上に支持され、給紙ギア１３に結合され、回転駆動力の内、給紙ローラ１７，１９が給紙方向に回転する方向の回転力のみを給紙ローラ軸１６に伝達する。
【００２５】
また、揺動給紙アーム１１の揺動支軸１２の中央には駆動プーリ２１が固定され、該駆動プーリ２１は、伝達ギア１５の端部に固定された従動プーリ２３に対して中継ベルト２４を介して回転駆動力が伝達され、伝達ギア１５へ回転力を伝達する。
【００２６】
揺動支軸１２の端部には支軸ギア２５が固定される。
【００２７】
支軸ギア２５の隣接位置には、本体固定位置に回転可能に支持された入力ギア２６が配置され、支持ギア２５と噛み合って回転駆動力を伝達する。
【００２８】
モータ３０は装置本体の固定位置に固定され、モータ軸３１に一体的に固定されたモータプーリ３２から減速ベルト３３を介して、本体固定位置にある回転軸３４に回転可能に支持される減速プーリ３５を回転駆動することができる。
【００２９】
一方、減速プーリ３５はギア部３６を有し、一体的に回転可能である。ギア部３６からには一点鎖線４２で略されて示す回転伝達経路にて入力ギア２６へ回転を伝達する機構を有する。図中、本実施例ではギア部３６が反時計方向に回転するときは、入力ギア２６が時計方向に回転する。
【００３０】
給紙カセット５０は揺動給紙アーム１１の下方に配置される。給紙カセット５０の記録紙載置面で給紙ローラ１７，１９の対向部には合成皮革部材からなる摩擦パッド５１，５２（図１）が配置される。
図１は給紙ローラに軸芯を通る垂直面で切った断面図である。
摩擦パッド５１，５２は、略均一な厚さを有し、下方裏面側には両面テープが貼られている。
【００３１】
給紙カセット５０の記録紙１０の積載面側で給紙ローラ１７，１９の対向部には、摩擦パッド５１，５２を貼りつける凹部５３，５４を有し、その凹部５３，５４の表面形状は、摩擦パッド５１，５２を貼り付けると、給紙ローラ１７，１９の軸芯１６に対して平行で、給紙ローラ圧が積載最下紙１０ｂとの間で均等に作用する面部分と給紙ローラ１７，１９に軸方向端部方向に至るに従って、暫時給紙ローラ１７，１９表面から微少に離間する方向に変異する面を有するような形状を構成する。
【００３２】
上記構成であると、従来あった摩擦パッド５１，５２のエッジによる押圧力の集中はなくなり、記録紙１０ｂに対する摺擦圧は給紙ローラ１７，１９の単部に至るほど低減するので、記録紙１０ｂ表面に与えるダメージを暫時軽減する。
【００３３】
このような構成で給紙動作した記録紙１０ｂ上では極端に光沢差のある境界はなくなり、記録紙１０ｂの光沢変化は暫時変化する程度のものとなり、摩擦パッド５１，５２の摺擦による記録紙の光沢への影響は極めて認識しづらいものとなり、画像品位を著しく低下させることがなくなる。
【００３４】
図２は本発明の別の実施例を示す図である。
【００３５】
給紙カセット５０の記録紙１０の積載面側で給紙ローラ１７，１９の対向部には、略水平な面を有する凹部６３，６４があって、摩擦パッド６１，６２が固定されている。
【００３６】
上記摩擦パッド６１，６２の上面形状は、給紙ローラ１７，１９に軸方向端部方向に至るに従って、暫時給紙ローラ１７，１９表面から微少に離間する方向に変異する面を有するような形状を有している。
【００３７】
上記構成であっても、本発明の課題を解決することができる。
【産業上の利用可能性】
【００３８】
本発明は、プリンタ、複写機あるいはファクシミリ等の給紙装置の画像品位向上に利用できる。
【図面の簡単な説明】
【００３９】
【図１】給紙ローラに軸芯を通る垂直面で切った断面図
【図２】本発明の別の実施例を示す図
【図３】本発明の給紙装置の実施例の全体構成を示す斜視図
【図４】従来からある給紙装置の構成断面図
【図５】従来例での部分断面図
【符号の説明】
【００４０】
１１  揺動給紙アーム
１７，１９  給紙ローラ
５０  給紙カセット
５１，５２，６１，６２  分離パッド
【図１】
2006168840.tif 000003
【図２】
2006168840.tif 000004
【図３】
2006168840.tif 000005
【図４】
2006168840.tif 000006
【図５】
2006168840.tif 000007